【事件の表示】
　特許第３２０２２１９号「ＥＬ表示装置」の請求項１ないし８に係る特許に対する特許異議の申立てについて、次のとおり決定する。
【結　論】
　訂正を認める。
　特許第３２０２２１９号の請求項１ないし７に係る特許を取り消す。
【理　由】
１．手続の経緯
　特許第３２０２２１９号（請求項の数８）に係る発明についての出願は、平成２年９月１８日に特許出願され、平成１３年６月２２日にその発明について特許権の設定登録がなされ、その後、全請求項に係る特許について申立人・北田紘治、同・小池美知、同・島宗サダ子より、また、請求項１，２，３，７，８に係る特許について申立人・佐藤光男より、それぞれ特許異議の申立がなされ、平成１４年６月４日付けで取消しの理由が通知され、その指定期間内である平成１４年８月１３日に訂正請求がされたものである。
　
２．訂正の適否についての判断
（１）訂正の内容
　ア．訂正事項ａ
　　特許請求の範囲の請求項１において、「多結晶シリコンからなる薄膜トランジスタ」を「多結晶シリコンからな
り発光画素面積０．３ｍｍ×０．３ｍｍあたり１０
−５
Ａ以上の電流供給能を有す
金属
対向
電流駆動型の
して、前記発光層の発光が前記ガラス基板を通して目視される
　イ．訂正事項ｂ
　　特許請求の範囲の請求項３において、「反射電極」を「
金属
対向
　ウ．訂正事項ｃ
　　特許請求の範囲の請求項７を削除する。
　エ．訂正事項ｄ
　　特許請求の範囲の請求項８を新たな請求項７に繰り上げる。
（２）訂正の目的の適否、新規事項の有無及び拡張・変更の存否
　上記訂正事項ａは、薄膜トランジスタ、反射電極、有機ＥＬ素子及びＥＬ表示装置に関し、特許明細書中の実施例に係る記載に基いて、それぞれ特定するものであるから、特許請求の範囲の減縮を目的とした明細書の訂正に該当し、また、上記訂正事項ｂは、上記訂正事項ａと整合を図るものであるから、明りょうでない記載の釈明を目的とした明細書の訂正に該当し、また、上記訂正事項ｃは、請求項の削除であるから特許請求の範囲の減縮を目的とした明細書の訂正に該当し、さらに、上記訂正事項ｄは、上記訂正事項ｃに伴い項番を整合させるものであるから、明りょうでない記載の釈明を目的とした明細書の訂正に該当する。
　そして、上記いずれの訂正事項も、新規事項の追加に該当せず、「良好な応答速度および視野角を呈するばかりでなく、構造的に薄型化が可能で、高輝度化やカラー化も達成され、かつ高精細な画像を表示し得るＥＬ表示装置の提供」という課題に変更を及ぼすものでもないから、実質上特許請求の範囲を拡張し、又は変更するものではない。
（３）むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書及び第２項の規定に適合するので、当該訂正を認める。
　
３．特許異議の申立てについての判断
（１）本件発明
　上記２．で示したように上記訂正が認められるから、本件の請求項１乃至７に係る発明（以下、「本件発明１乃至７」という。）は、上記訂正に係る訂正明細書の特許請求の範囲の請求項１乃至７に記載された次のとおりのものである。
「【請求項１】多結晶シリコンからなり発光画素面積０．３ｍｍ×０．３ｍｍあたり１０−５Ａ以上の電流供給能を有する薄膜トランジスタを含むスイッチング素子をマトリクス状に形設具備させたガラス基板から構成されるアクティブマトリクス基板と、前記アクティブマトリクス基板上に形成され、かつ前記スイッチング素子に電気的に接続された透光性の画素電極と、該画素電極上に形成された有機ＥＬ系材料からなる発光層と、該画素電極と対向するように該発光層上に形成された金属反射対向電極とを含む電流駆動型の有機ＥＬ素子と、前記薄膜トランジスタを介して前記有機ＥＬ素子を駆動する外部回路とを具備して、前記発光層の発光が前記ガラス基板を通して目視されることを特徴とするＥＬ表示装置。
　【請求項２】前記有機ＥＬ素子が、前記画素電極と前記発光層との間に配置される電荷輸送層をさらに含むことを特徴とする請求項１記載のＥＬ表示装置。
　【請求項３】前記金属反射対向電極が、Ａｇ又はＭｇのいずれかを含むことを特徴とする請求項１記載のＥＬ表示装置。
　【請求項４】前記発光層が、マスク蒸着によりパタンニングされてなることを特徴とする請求項１記載のＥＬ表示装置。
　【請求項５】前記発光層が、印刷によりパタンニングされてなることを特徴とする請求項１記載のＥＬ表示装置。
　【請求項６】前記ガラス基板の前記発光層が配置された面と対向する面上に配置されたカラーフィルタをさらに具備することを特徴とする請求項１記載のＥＬ表示装置。
　【請求項７】前記薄膜トランジスタが、前記ガラス基板上に配置されたソース及びドレイン領域を有する多結晶シリコン層と、該多結晶シリコン層上に絶縁膜を介して配置されたゲート電極とを備えたことを特徴とする請求項１記載のＥＬ表示装置。」
　
（２）引用刊行物に記載された発明
（２−１）当審が通知した取消しの理由で引用した刊行物１（特開昭５９−９９４８０号公報、申立人・北田紘治が提出した甲第１号証）には、例えば
（ａ）公報第２頁右上欄第１行〜左下欄第５行の
『第１図は、１画素分の構成を示す平面図であり、１は信号用スイッチング素子としての薄膜トランジスタ、・・・４はＥＬ素子、５は走査線、６は信号線、７は電源線、・・・Ａ−Ａ′断面およびＢ−Ｂ′断面は、第２図および第３図に示すとおりとなっている。
　すなわち、Ａ−Ａ′断面を示す第２図において、９は透明ガラスの基板、１０は・・・多結晶Ｓｉからなりかつ両側方にオフセットゲート領域の形成された多結晶Ｓｉ膜、１１はゲート絶縁膜、・・・１３はソース電極またはドレイン電極、１４はゲート電極、１５はドレイン電極またはソース電極であり、これらにより駆動用のトランジスタ２が構成されている。
　また、１７は透明電極、１８はＺｎＳ等を母体に発光中心となるＭｎ等をドープしたＥＬ蒸着膜、１９は絶縁膜、２０は電源用電極であり、これらによりＥＬ素子４が構成されている。
　一方、Ｂ−Ｂ′断面を示す第３図において、９〜１５は第２図と同様なものであり、これらにより信号用スイッチング素子としてのトランジスタ１が構成されており、』
なる記載及び
（ｂ）同第３頁左上欄第１８行〜右上欄第１４行の
『第５図は、第１図乃至第３図の構成による等価回路を示し、・・・信号線６はトランジスタ１のドレイン・ソース間を介してトランジスタ２のゲートと接続され、走査線５はトランジスタ１のゲートと接続されている。
　このため、走査線５へトランジスタ１がオンとなる電圧を印加すれば、トランジスタ１がオンへ転じ、・・・ＥＬ素子４へ電源線７の交流電圧が印加され、ＥＬ素子４が発光する。』
なる記載、そして
（ｃ）図面、特に第１〜３，５図の図示内容、
等からみて、下記の発明イが記載されていると認められる。
［発明イ］
「多結晶Ｓｉからなる信号用スイッチング素子としての薄膜トランジスタ１をマトリクス状に形設具備させた透明ガラスの基板９から構成されるマトリックス基板と、前記マトリックス基板上に形成され、かつ前記信号用スイッチング素子に電気的に接続された透明電極１７と、該電極１７上に形成されたＺｎＳ等を母体に発光中心となるＭｎ等をドープしたＥＬ蒸着膜１８と、該電極１７と対向するように該ＥＬ蒸着膜１８上に形成された電源用電極２０とを含むＥＬ素子４と、前記薄膜トランジスタ１を介して前記ＥＬ素子４を駆動する駆動回路とを具備し、前記薄膜トランジスタ１が、前記透明ガラスの基板９上に配置されたソース電極またはドレイン電極１３，１５を有する多結晶Ｓｉ膜と、該多結晶Ｓｉ膜上にゲート絶縁膜１１を介して配置されたゲート電極１４とを備えたマトリクス状に配設された多数のＥＬ素子４等からなる表示器。」
（２−２）同じく引用した刊行物２（「有機薄膜ＥＬ素子」、電気・情報関連学会連合大会講演論文集［分冊２］第２−１２３頁〜第２−１２５頁、平成元年８月２５日発行、申立人・北田紘治が提出した甲第３号証）には、例えば、
（ａ）第２−１２３頁の「１．はじめに」の項第６〜１２行の
『最近になって、米コダック社のC.W.Tangらにより２層の有機化合物薄膜を積層した新構造のＥＬ素子により１０Ｖ以下の直流電圧の印加で緑色１０００cd/m2以上の発光輝度、１．５ lm/wの発光効率が発表され、大きな衝撃を与えた。従来の有機化合物の電界発光に比較して桁違いの性能であるばかりでなく、現在、表示品質の良いフラットディスプレイとして実用化されているＺｎＳ：Ｍｎ無機蛍光体を使用した薄膜ＥＬ素子では２００Ｖ程度の高い交流の駆動電圧が低コスト化の障害になっており、新しい有機薄膜ＥＬ素子の低電圧直流動作は大きな魅力である。』
なる記載、
（ｂ）同頁の「２．有機薄膜ＥＬ素子の基本特性」の項第１〜３行の
『C.W.Tang　らにより開発された２層構造の有機薄膜ＥＬ素子の構造を図１に示す。ＩＴＯ透明導電膜が形成されているガラス基板上に、ジアミンとアルミニウムキノリン錯体（Alq3）の薄い真空蒸着膜が積層され、その上にＭｇＡｇ合金の低仕事関数の対向電極が形成された単純な構造である。』
なる記載、
（ｃ）同頁同項第９〜１８行の
『一方、ジアミンは正孔伝導性の有機化合物であり、蛍光は示さない。・・・ジアミンとの界面のAlq3層で正孔と電子が会合したエキシトンを経て、励起状態となる。一重項の励起状態から基底状態への遷移に伴って蛍光を発する。・・・この有機薄膜ＥＬ素子の一番のキーポイントはジアミンが果たしている正孔注入層の採用にある。・・・正孔注入層の挿入によって、低電圧で蛍光体層に正孔を注入できると共に、蛍光体層からの電子をブロックし、効率的に蛍光層界面でのエキシトン形成に寄与しているものと思われる。』
なる記載、
（ｄ）第２−１２４頁の「２．有機ＥＬ素子の応用」の項第２〜７行の
『低電圧動作のため特別な駆動回路は不用であり、また、ＬＥＤとは異なり、完全な面発光の鮮明な表示が任意の形状で実現できる特徴を持っている。・・・ＯＡ化の進展にともない、高解像・大容量表示のフラットディスプレイに対する要望は非常に強い。有機薄膜ＥＬはマイクロ秒オーダの高速応答性を有しており』
なる記載及び
（ｅ）同頁同項第１０〜１６行の
『直流電圧印加では最大輝度２０００cd/m2程度は実現されるが、ディスプレイとして最低要求される１／２００程度のデューティの線順次駆動では、実用に程遠い輝度にしかならない。・・・この様な単純マトリクス駆動の他に、薄膜トランジスタ（ＴＦＴ）を組み込んだアクティブマトリクス駆動が考えられる。電圧駆動型の液晶とは異なり、１画素に２個のトランジスタと１個の蓄積容量が必要となるが、低電圧動作でありａ−Ｓｉやｐ−ＳｉのＴＦＴとは液晶に次いで相性が良く、現状のＴＦＴで十分対応可能である。』
なる記載及び
（ｆ）同頁同項第１０〜１６行の
『１００cd/m2以上の実用輝度』
なる記載、そして
（ｇ）図２の「有機薄膜ＥＬ素子の輝度・電圧特性」には、有機薄膜ＥＬ素子の輝度を実用的な１００cd/m2以上とするには、それに対し約２２Ｖ以上の印加電圧が、また、輝度を１０００cd/m2以上とするには、約２７Ｖ以上の印加電圧が必要であることが示されており、また、図３の「電流電圧特性に対する金属電極材料依存性」には、１０−５Ａ以上の電流を有機薄膜ＥＬ素子に流すためには、電極の金属材料がＭｎＩｎ及びＭｇＡｇでは印加電圧が約１０Ｖ以上、Ｉｎでは約１５Ｖ以上、Ａｌ及びＡｕでは約２０Ｖ以上であればよいことが示されていること、そして
（ｈ）図１の「有機薄膜ＥＬ素子の基本断面構造」の図示内容、
等からみて、下記の事項ロ、ハ及びニが記載されていると認められる。
［事項ロ］
「ＥＬ素子の発光層を、ＺｎＳ：Ｍｎ無機蛍光体等の無機ＥＬ系材料に代えて、アルミニウムキノリン錯体で形成し、さらにその発光層とＩＴＯ透明電極との間に正孔注入層を配置して有機薄膜ＥＬ素子を構成すること。」
［事項ハ］
「ＥＬ素子の発光層上に形成される対向電極を、ＭｇＡｇ合金の対向電極とすること。」
［事項ニ］
「ＩＴＯ透明電極を備えた有機薄膜ＥＬ素子は、最大輝度２０００cd/m2程度が実現され、その駆動としては薄膜トランジスタ（ＴＦＴ）を組み込んだアクティブマトリクス駆動が考えられること、また、有機薄膜ＥＬ素子の輝度を１０００cd/m2以上とするには、約２７Ｖ以上の印加電圧があればよく、その際、１０−５Ａ以上の電流が流れること。」
（２−３）同じく引用した刊行物３（特開平２−１９５６８１号公報、申立人・北田紘治が提出した甲第５号証）には、例えば、
（ａ）公報第６頁左下欄第１１〜１５行の
『電極基板上の導電性部分をパターン状に加工したものでもよく、この時にはパターン状のホール注入／移動層が形成でき、表示パターンのコントラストを高くすることができる。』
なる記載及び
（ｂ）同第７頁左上欄第１４行〜右上欄第７行の
『上述の方法により作製されたホール注入／移動層を有する電極基板上に、発光層材料の薄膜が形成される。発光層材料は電界発光を示すものであれば特に限定されないが、・・・８−キノリノールの金属錯体などを用いることができる。これらの材料の薄膜を形成するには、真空蒸着、・・・スクリーン印刷などの方法を用いることができる。真空蒸着・・・を行なう場合には、マスクの併用により、所望の形状の発光層を形成することが可能である。』
なる記載、そして
（ｃ）第１図の図示内容、
等からみて、下記の事項ホ及びヘが記載されていると認められる。
［事項ホ］
「ＥＬ素子の発光層３が、マスクの併用による真空蒸着によりパタンニングされてなること。」
［事項ヘ］
「ＥＬ素子の発光層３が、スクリーン印刷によりパタンニングされてなること。」
（２−４）同じく引用した刊行物４（特開昭６４−６７８９４号公報、申立人・北田紘治が提出した甲第６号証）には、例えば、
（ａ）公報第１頁右下欄第４〜１６行の
『第４図・・・で示す様にこのＥＬパネルは・・・透明なガラス基板１上に透明電極２、第一絶縁層３、発光層４、第二絶縁層５、及び背面電極６を順次積層して成る。・・・そして選択した透明電極２と背面電極６間に電圧を印加することにより、その選択した透明電極２と背面電極６との交差点に相当する部分の発光層４が発光して、ガラス基板１の表面であるパネル面Ｐで表示が為される。』
なる記載、
（ｂ）同第２頁左上欄第１８行〜右上欄第５行の
『第１図は、本発明に係るＥＬパネルの断面図で・・・第４図に示した従来例と同一の構成要素については同一の符号を付し、説明を省略する。
　本発明のＥＬパネルにおいて従来と異なる点は、発光層７が・・・白色発光材料である・・・薄膜より成ることである。』
なる記載及び
（ｃ）同第２頁左下欄第１〜６行の
『上述の如く発光層７が赤、緑、青の波長域の光を含む白色光を発光することから、第１図に示す様にパネル面Ｐに赤、緑、青の三色の単色フィルタから成るカラーフィルタ８を設けることにより、この白色光より赤、緑、青の光を取出してカラー表示を行うことが可能となる。』
なる記載、そして
（ｄ）第１図の記載内容、
等からみて、下記の事項トが記載されていると認められる。
［事項ト］
「ガラス基板１の発光層４が配置された面と対向するパネル面Ｐ上に赤、緑、青の三色の単色フィルタから成るカラーフィルタ８を配置すること。」
　
（３）対比・判断
（３−１）本件発明１について
　本件発明１と上記発明イとを対比すると、後者における「多結晶Ｓｉ」がその作用・機能からみて前者の「多結晶シリコン」に相当し、以下同様に、「信号用スイッチング素子としての薄膜トランジスタ１」が「薄膜トランジスタを含むスイッチング素子」に、「透明ガラスの基板９」が「ガラス基板」に、「マトリックス基板」が「アクティブマトリクス基板」に、「透明電極１７」が「透光性の画素電極」に、「ＥＬ蒸着膜１８」が「ＥＬ系材料からなる発光層」に、「駆動回路」が「外部回路」に、「マトリクス状に配設された多数のＥＬ素子４等からなる表示器」が「ＥＬ表示装置」に、それぞれ相当する。
　また、発明イも、透明ガラスの基板９と透明電極１７を有するところから、「発光層の発光がガラス基板を通して目視される」構成であることが窺える。
　したがって、本件発明１と上記発明イとは、
「多結晶シリコンからなる薄膜トランジスタを含むスイッチング素子をマトリクス状に形設具備させたガラス基板から構成されるアクティブマトリクス基板と、前記アクティブマトリクス基板上に形成され、かつ前記スイッチング素子に電気的に接続された透光性の画素電極と、該画素電極上に形成されたＥＬ系材料からなる発光層と、該画素電極と対向するように該発光層上に形成された電極とを含むＥＬ素子と、前記薄膜トランジスタを介して前記ＥＬ素子を駆動する外部回路とを具備して、前記発光層の発光が前記ガラス基板を通して目視されるＥＬ表示装置」、
である点で一致し、下記の点で相違しているものと認められる。
（ａ）発光層及びＥＬ素子を、本件発明１では、「有機ＥＬ系材料」で形成された「電流駆動型の有機ＥＬ素子」としているのに対して、発明イでは、ＺｎＳ等を母体に発光中心となるＭｎ等をドープしたいわゆる無機ＥＬ系材料で形成された無機ＥＬ素子である点（以下、「相違点ａ」という。）。
（ｂ）画素電極と対向するように発光層上に形成された電極を、本件発明１では、「金属反射対向電極」としているのに対して、発明イでは、電源用電極としている点（以下、「相違点ｂ」という。）。
（ｃ）薄膜トランジスタについて、本件発明１では、「発光画素面積０．３ｍｍ×０．３ｍｍあたり１０−５Ａ以上の電流供給能を有する」としているのに対して、発明イでは、そのような値の電流供給能力について明らかにされていない点（以下、「相違点ｃ」という。）。
　上記相違点について検討する。
・相違点ａについて
　ＥＬ素子として、無機ＥＬ系材料からなるものと有機ＥＬ系材料からなるものがあることは良く知られているところであり、有機ＥＬ系材料からなるＥＬ素子として、上記事項ロに示したように、発光層を、ＺｎＳ：Ｍｎ無機蛍光体等の無機ＥＬ系材料に代えて、アルミニウムキノリン錯体（本件発明１における「有機ＥＬ系材料」に相当する。以下、括弧内は本件発明１における相当部分を示す。）で形成して、さらにその発光層とＩＴＯ透明電極（透光性の画素電極）との間に正孔注入層を配置して有機薄膜ＥＬ素子（有機ＥＬ素子）を構成したもの、即ち、電流駆動型の有機ＥＬ素子が周知である以上、発明イにおける発光層及びＥＬ素子を、上記相違点ａに係る本件発明１の構成とする程度のことは、当業者が容易になし得ることである。
・相違点ｂについて
　上記事項ハに示したように、ＥＬ素子の発光層上に形成される対向電極を、ＭｇＡｇ合金の対向電極（金属反射対向電極）とすることが周知である以上、発明イにおける電源用電極を、上記相違点ｂに係る本件発明１の構成とする程度のことは、当業者が容易になし得たことと認められる。
・相違点ｃについて
　本件発明１において、「発光画素面積０．３ｍｍ×０．３ｍｍあたり１０−５Ａ以上の電流」とは、特許明細書の「なお、前記発光画素（ＥＬ素子）１１の寸法を０．３ｍｍ×０．３ｍｍとすると、１０００cd/m2の輝度を得るためには１０−５Ａの電流を注入する必要がある。」（特許第３２０２２１９号公報第３頁第６欄第２〜４行参照。）との記載によれば、１０００cd/m2の輝度、即ち、単位面積当たりの所望の輝度を得るための条件を、発光画素面積と電流とで表わしたものと解される。
　しかしながら、発光画素において高輝度の発光が望まれるのは当然のことであり、また、上記事項ニによれば、アクティブマトリクス駆動の際に薄膜トランジスタがＩＴＯ透明電極（画素電極）に対し１０−５Ａ以上の電流供給能力を有することが窺われ、さらに、ＩＴＯ透明電極（画素電極）の大きさは、画像の精細度に応じて適宜に選定し得るものであって、それを０．３ｍｍ×０．３ｍｍとすることも任意である以上、発明イにおける薄膜トランジスタを、上記相違点ｃに係る本件発明１の構成とする程度のことは、当業者が必要に応じて容易になし得たことと認められる。
　そして、本件発明１により奏される「高輝度、高分解能および高速応答性でかつ視野角の広いＥＬ表示装置の提供が可能となる」（上記特許公報第４頁第７欄第３５行〜第８欄第１行参照。）という効果も、特許明細書の「ＥＬ発光層が輝度の高い有機ＥＬ材料系で構成されているため、比較的低い印加電圧でも高輝度の発光および高速な応答性や広い視野角を呈する。」（上記特許公報第２頁第４欄第２７〜２９行参照。）との記載によれば、単に有機ＥＬ素子を用いたことによる効果というべきであり、上記刊行物１及び２に記載された発明から予測し得る範囲のものにすぎない。
　
　なお、特許権者は、平成１４年８月１３日付けの意見書において、「刊行物１および２から本件発明１の構成を組合わせるに足る技術的課題も効果も見出せず、これらの刊行物の発明から当業者が本件発明１を容易に想到し得るとすることはできない」（第１０頁第１７〜１９行）と主張している。
　しかしながら、刊行物１には、無機ＥＬ素子を用いているものの、ガラス基板側から目視できるアクティブマトリクス配置構造を備えたＥＬ表示装置が開示されており、また、刊行物２には、電流駆動型の有機ＥＬ素子を用いたアクティブマトリクス駆動のＥＬ表示装置が提案されており、有機ＥＬ素子が低電圧動作・高輝度・高効率・高速応答性等の特性を備えていることが開示されている。
　そして、ＥＬ表示装置において、比較的低い印加電圧でも高輝度の発光や高速な応答性等を実現することは当然に追求すべき課題である。
　そうすると、刊行物１に記載のものにおいて、上記課題の下に、刊行物２に記載の電流駆動型の有機ＥＬ素子を用いてＥＬ表示装置を実現しようとすることは、当業者であれば容易に想到し得ることといわざるをえない。
　
　したがって、本件発明１は、上記刊行物１及び２に記載された発明に基づいて当業者が容易に発明をすることができたものである。
　
（３−２）本件発明２について
　本件発明２は、本件発明１に、さらに「有機ＥＬ素子が、画素電極と発光層との間に配置される電荷輸送層をさらに含む」構成を限定したものである。
　しかしながら、上記事項ロに示したように、有機ＥＬ素子として、ＩＴＯ透明電極（即ち、画素電極）と発光層との間に正孔注入層（即ち、電荷輸送層）を配置する構成は周知のものにすぎない。
　したがって、本件発明２も、上記（３−１）での検討内容を踏まえれば、上記刊行物１及び２に記載された発明に基づいて当業者が容易に発明をすることができたものである。
　
（３−３）本件発明３について
　本件発明３は、本件発明１に、さらに「金属反射対向電極が、Ａｇ又はＭｇのいずれかを含む」構成を限定したものである。
　しかしながら、上記事項ハに示したように、合金の対向電極（即ち、金属反射対向電極）として、ＭｇＡｇ合金（即ち、Ａｇ又はＭｇのいずれかを含む金属反射対向電極）とする構成は周知のものにすぎず、発明イにおける対向電極にかかる周知の構成を採用することは当業者にとって容易である。
　したがって、本件発明３も、上記（３−１）での検討内容を踏まえれば、上記刊行物１及び２に記載された発明に基づいて当業者が容易に発明をすることができたものである。
　
（３−４）本件発明４について
　本件発明４は、本件発明１に、さらに「発光層が、マスク蒸着によりパタンニングされてなる」構成を限定したものである。
　しかしながら、上記事項ホに示したように、ＥＬ素子の発光層を、マスクの併用による真空蒸着（即ち、マスク蒸着）によりパタンニングすることは周知の事項にすぎず、発明イにおける発光層の形成に際し、かかる周知の事項を採用することも任意である。
　したがって、本件発明４も、上記（３−１）での検討内容を踏まえれば、上記刊行物１乃至３に記載された発明に基づいて当業者が容易に発明をすることができたものである。
　
（３−５）本件発明５について
　本件発明５は、本件発明１に、さらに「発光層が、印刷によりパタンニングされてなる」構成を限定したものである。
　しかしながら、上記事項ヘに示したように、ＥＬ素子の発光層を、印刷によりパタンニングすることは周知の事項にすぎず、発明イにおける発光層の形成に際し、かかる周知の事項を採用することも任意である。
　したがって、本件発明５も、上記（３−１）での検討内容を踏まえれば、上記刊行物１乃至３に記載された発明に基づいて当業者が容易に発明をすることができたものである。
　
（３−６）本件発明６について
　本件発明６は、本件発明１に、さらに「ガラス基板の発光層が配置された面と対向する面上に配置されたカラーフィルタをさらに具備する」構成を限定したものである。
　しかしながら、上記事項トに示したように、ガラス基板の発光層が配置された面と対向する面上にカラーフィルタを配置する構成が周知である以上、発明イにおいて、かかる周知の構成を採用することは、当業者が必要に応じて容易になし得たことと認められる。
　したがって、本件発明６も、上記（３−１）での検討内容を踏まえれば、上記刊行物１、２及び４に記載された発明に基づいて当業者が容易に発明をすることができたものである。
　
（３−７）本件発明７について
  本件発明７は、本件発明１に、さらに「薄膜トランジスタが、ガラス基板上に配置されたソース及びドレイン領域を有する多結晶シリコン層と、該多結晶シリコン層上に絶縁膜を介して配置されたゲート電極とを備えた」構成を限定したものである。
　しかしながら、上記限定された構成は、上記発明イにおいて、「薄膜トランジスタ１が、透明ガラスの基板９上に配置されたソース電極またはドレイン電極１３，１５を有する多結晶Ｓｉ膜（即ち、多結晶シリコン層）と、該多結晶Ｓｉ膜上にゲート絶縁膜１１を介して配置されたゲート電極１４とを備えた」構成として既に具備されているものといえる。
　したがって、本件発明７も、上記（３−１）での検討内容を踏まえれば、上記刊行物１及び２に記載された発明に基づいて当業者が容易に発明をすることができたものである。
　
（４）むすび
　以上のとおりであるから、本件発明１乃至７は、いずれも、特許法第２９条第２項の規定により特許を受けることができない。
　したがって、本件発明１乃至７についての特許は、拒絶の査定をしなければならない特許出願に対してされたものと認める。
　よって、特許法等の一部を改正する法律（平成６年法律第１１６号）附則第１４条の規定に基づく、特許法等の一部を改正する法律の一部の施行に伴う経過措置を定める政令（平成７年政令第２０５号）第４条第２項の規定により、結論のとおり決定する。
【異議決定日】
平成１５年４月４日（２００３．４．４）
【訂正の要旨】
　（３−１）特許請求の範囲の【請求項１】において
「多結晶シリコンからなる薄膜トランジスタを含むスイッチング素子をマトリクス状に形設具備させたガラス基板から構成されるアクティブマトリクス基板と、前記アクティブマトリクス基板上に形成され、かつ前記スイッチング素子に電気的に接続された透光性の画素電極と、該画素電極上に形成された有機ＥＬ系材料からなる発光層と、該画素電極と対向するように該発光層上に形成された反射電極とを含む有機ＥＬ素子と、前記薄膜トランジスタを介して前記有機ＥＬ素子を駆動する外部回路とを具備することを特徴とするＥＬ表示装置。」とあるのを、
「多結晶シリコンからな
り発光画素面積０．３ｍｍ×０．３ｍｍあたり１０−５Ａ以上の電流供給能を有す
金属
対向
電流駆動型（明細書にこの用語が見当たらないので電荷注入型とするべきか）の
、前記発光層の発光が前記ガラス基板を通して目視される
（３−２）特許請求の範囲の【請求項３】において
「前記反射電極が、Ａｇ又はＭｇのいずれかを含むことを特徴とする請求項１記載のＥＬ表示装置。」とあれのを、
「前記
金属
対向
（３−３）特許請求の範囲の【請求項７】を削除する。
（５４）【発明の名称】
ＥＬ表示装置
（５７）【特許請求の範囲】
　【請求項１】多結晶シリコンからな
り発光画素面積０．３ｍｍ×０．３ｍｍあたり１０−５Ａ以上の電流供給能を有す
金属
対向
電流駆動型の
、前記発光層の発光が前記ガラス基板を通して目視される
　【請求項２】前記有機ＥＬ素子が、前記画素電極と前記発光層との間に配置される電荷輸送層をさらに含むことを特徴とする請求項１記載のＥＬ表示装置。
　【請求項３】前記
金属
対向
　【請求項４】前記発光層が、マスク蒸着によりパタンニングされてなることを特徴とする請求項１記載のＥＬ表示装置。
　【請求項５】前記発光層が、印刷によりパタンニングされてなることを特徴とする請求項１記載のＥＬ表示装置。
　【請求項６】前記ガラス基板の前記発光層が配置された面と対向する面上に配置されたカラーフィルタをさらに具備することを特徴とする請求項１記載のＥＬ表示装置。
　【請求項７】前記薄膜トランジスタが、前記ガラス基板上に配置されたソース及びドレイン領域を有する多結晶シリコン層と、該多結晶シリコン層上に絶縁膜を介して配置されたゲート電極とを備えたことを特徴とする請求項１記載のＥＬ表示装置。
【発明の詳細な説明】
［発明の目的］
（産業上の利用分野）
　本発明は薄型ディスプレイ装置に係り、特にＥＬ表示装置に関する。
（従来の技術）
　薄型ディスプレイ装置として、薄膜トランジスタアレイとカラーフィルタでＴＮ型液晶を挟んで成る、いわゆるＴＦＴＬＣＤが知られている。しかし、前記ＴＦＴＬＣＤには、応答速度と視野角の点で次のような不都合が存在する。
　応答速度は室温でネマチック液晶状態を示し、かつ７０℃程度以上の温度までそれを維持する条件から、液晶分子の大きさがだいだい定まる。また、元来液晶状態を呈する分子種は、分子間相互作用が大であることから、粘性を低下させるにも自ずと限界がある。しかして、ＦＴＦＬＣＤの応答速度はほぼ３０ｍｓｅｃが限界と考えられる。
一方、コンピュータ端末表示では、いわゆるマウスを利用するため、さらに高速応答性が要求される。また、動画を高精細画像表示する場合、応答速度が速いと画素ピッチが細かくても画像の空間分解能が損なわれる。このため、より高速化することが、情報端末としても高精細表示としても必要である。
　視野角は複屈折を用いるこのタイプの素子の原理的欠陥であるといえる。しかし、画面サイズの拡大と共に画面中心部と周辺部で視野角に無視できない差異を生じ、画面の中心部と周辺部で画像のコントラストや色調が異なる結果を生じてしまう。ＴＮ型液晶では実用上差使えない視野角は、前後、左右各±３０°程度である。このため、明視距離３０ｃｍでは、対角１４インチ以上のサイズで画面が視野角の範囲に納まらなくなる。すなわち、視野角の拡大は大画面化にも必要である。
（発明が解決しようとする課題）
　上記のように、従来のＴＦＴＬＣＤタイプの薄型ディスプレイの場合、狭い視野角、遅い応答速度という不具合な問題がある。これらの問題に対しては、次のような対応が試みられている。
　先ず、視野角を広げるためには自己発光型の表示とする必要があり、この自己発光型の表示素子としては、▲１▼プラズマ表示素子、▲２▼蛍光表示管、▲３▼ＥＬ（エレクトロルミネッセンス）表示などがある。
　しかして、プラズマ表示素子の場合は、応答速度も速く、カラー化も可能であるため、素子を微細化して基板上に厚膜印刷の手法を用いて多数の素子を作り込み、既に薄型表示素子の体裁を整えつつある。しかし、輝度向上、高精細化などに、材料および素子構造の点から自ずと限界があり、実用上満足し得るものは未だ得られていない。
　また、蛍光表示管の場合、輝度の点では充分ではあるが、やはり素子構造の点から薄型化、カラー化、高精細化に限界がある。
本発明は上記事情に対処してなされたもので、良好な応答速度および視野角を呈するばかりでなく、構造的に薄型化が可能で、高輝度化やカラー化も達成され、かつ高精細な画像を表示し得るＥＬ表示装置の提供を目的とする。
［発明の構成］
（課題を解決するための手段）
　本発明に係るＥＬ表示装置は、多結晶シリコンからなる薄膜トランジスタを含むスイッチング素子をマトリクス状に形設具備させたガラス基板から構成されるアクティブマトリクス基板と、前記アクティブマトリクス基板上に形成され、かつ前記スイッチング素子に電気的に接続された透光性の画素電極と、該画素電極上に形成された有機ＥＬ系材料からなる発光層と、該画素電極と対向するように該発光層上に形成された反射電極とを含む有機ＥＬ素子と、前記薄膜トランジスタを介して前記有機ＥＬ素子を駆動する外部回路とを具備することを特徴とする。
（作用）
　本発明に係るＥＬ表示装置においては、マトリクス状に形設具備させた各スイッチング素子を介して、対応するＥＬ素子群を時分割的に駆動制御し、各ＥＬ素子を選択的に発光させることによって、所要の表示がなされる。しかして、前記ＥＬ発光層が輝度の高い有機ＥＬ材料系で構成されているため、比較的低い印加電圧でも高輝度の発光および高速な応答性や広い視野角を呈する。つまり、コントラストなど良好で、薄型・大画面型のＥＬ表示装置として期待される機能を十分に発揮する。
（実施例）
　以下添附の図面を参照して本発明の実施例を説明する。
　上記したように、本発明に係るＥＬ表示装置は、スイッチング素子をマトリクス状に形設具備させた基板（アクティブマトリクス）と、前記基板上に堆積パタンニングされたＥＬ素子群と、前記スイッチング素子を介してＥＬ素子群を選択的に駆動する外部回路とを備えた構成を成している。しかして、前記アクティブマトリクス、ＥＬ素子群、このＥＬ素子群の一部を成す対向電極および駆動外部回路は、それぞれ基本的に次のごとく構成されている。
　アクティブマトリクス構成　アクティブマトリクスを構成するスイッチング素子は、ＴＦＴ（薄膜トランジスタ）、非線形２端子素子のいずれも使用することができるが、１０−５Ａ程度の電流をＥＬ素子に注入する能力を要求される。また、ＥＬ素子は電流駆動型素子であるから、トランジスタを用いる場合、移動度の大きい材料を用いた方が寸法を小さくできる。この意味でたとえば第１図（ａ）に要部の構成を断面的に示すように、スイッチング素子としてのＴＦＴを多結晶シリコンで構成することが好ましい。第１図（ａ）において、１はガラス基板、２はソース領域２ａおよびドレイン領域２ｂを有する多結晶シリコンＴＦＴ、３はゲート電極、４はたとえばＳｉＯ２などの絶縁層、５は前記多結晶シリコンＴＦＴ２のソース領域２ａに接続する信号電極母線、６は前記多結晶シリコンＴＦＴ２のドレイン領域２ｂに接続するたとえばＩＴＯから成る画素電極、７は電荷輸送層、８はＥＬ発光層、９はたとえばＡｇ，Ｍｇなどから成る背面電極層もしくは対応電極層である。なお、第１図（ｂ）は、前記第１図（ａ）に図示した構成例を平面的に示したものである。
　さらに、前記アクティブマトリクスを３次元化して集積することにより、トランジスタサイズを大きくすることができるため、より形成容易な非晶質シリコンを使用し、第２図に要部の構成を断面的に示すごとく、スイッチング素子２としてＴＦＴを形成することも可能である。第２図において、第１図（ａ）と同一部分は同一の記号を付して表示した。
　なお、前記ではガラス板１を支持基板とした構成を示したが、第３図に要部の構成を断面的に示すように、シリコンウェハー１′のような半導体結晶上にスイッチング素子２としてのＴＦＴ領域群を形設して成るアクティブマトリクスも利用可能である。
　その他スイッチング素子２の構成には、たとえばＣｄＴｅ、ＣｄＳ、ＩｎＳｂも大面積に均一に薄膜形成可能な限り利用することができる。一方、前記アクティブマトリクスを構成するスイッチング素子２としての非線形２端子素子では、たとえば第４図（ａ）に断面的に、また第４図（ｂ）に斜視的にそれぞれ要部の構造を示すように、Ｔａ／Ｔａ２Ｏ５／Ｃｒ型のＭＩＭ構造を採用してもよい。第４図（ａ）および（ｂ）において、１はガラス基板、１０ａは前記ガラス基板１面に形設された熱酸化Ｔａ２Ｏ５層、１０ｂはＴａ層、１０ｃは陽極酸化Ｔａ２Ｏ５層、４はたとえばポリイミド樹脂層などの絶縁層、６は前記多結晶シリコンＴＦＴ２のドレイン領域２ｂに接続するたとえばＩＴＯから成る画素電極、７は電荷輸送層、８はＥＬ発光層、９はたとえばＡｇ，Ｍｇなどから成る背面電極層もしくは対向電極層である。
　なお、前記各構成例において、画素電極６は透光性のＩＴＯ電極のほか、非透光性の金属電極などであってもよい。
ＥＬ素子構成
　本発明に係るＥＬ表示装置のアクティブマトリクスでは、形設具備する多数のＥＬ表示素子が時分割駆動する構成となっている。しかして、ＥＬ発光部は通常１ｍｍ角以下の大きさにパタンニングされている。つまり、ＥＬ発光部は輝度の高い材料である有機蛍光性色素を用いたＥＬ発光層８に、電荷輸送層７を積層した電荷注入型の構造を採っている。ここで、有機ＥＬ素子１１の注入電流と発光輝度の関係は、大略、第５図に図示するごとくである。
　なお、前記発光画素（ＥＬ素子）１１の寸法を０．３ｍｍ×０．３ｍｍとすると、１０００Ｃｄ／ｍ２の輝度を得るためには１０−５Ａの電流を注入する必要がある。また、前記パタンニングは、たとえば有機蛍光色素のマスク蒸着、あるいは有機蛍光色素のべた蒸着膜をフォトレジストによるリフトオフ方でパタンニングする方法などなし得る。さらには、適当なバインダー樹脂に相溶させた有機蛍光色素溶液をオフセット印刷法、スクリーン印刷法などで、基板上にパタン印刷する方法を用いることが可能である。
対抗電極（背面電極）
　ガラス基板１面上に形成したアクティブマトリクスの上に、さらにマトリックス状に配設されたＥＬ発光層８の発光をガラス基板１ごしに目視する場合は、対向電極（背面電極）９は非透光性の電極であってもよい。反射率を低くする場合には、薄い金（Ａｕ）層を介在させた炭素電極、あるいは金、白金、ニッケルなどの金属粒子を分散させた炭素ペーストを塗布した膜が使用される。また、反射率を高くして発光利用効率を上げるためには、金、白金、ニッケルなどの蒸着膜、スパッタ膜、あるいはこれら金属のペーストを塗布した膜が用いられる。
　一方、ＥＬ発光層８からの光をガラス基板１を介在せずに直接目視する場合、透光性の対抗電極９としては、ＩＴＯ、金、ニッケル、白金などの低温薄膜形成した電極、あるいはポリイソシアナフテンなどの透明有機導電性高分子の電極が用いられる。
駆動外部回路構成
　駆動方式としては、ＴＦＴＬＣＤテレビと同様な線順次駆動を採り得る。この場合、走査線の駆動パルス幅が狭いので、点順次型のＣＲＴ型テレビと同様の網膜上の残像利用により連続発光感を与えることが好ましく、また発光強度が大である場合には、ＴＶと同様の点順次駆動も可能である。発光強度が不足して画面にちらつき（フリッカ）が見られる場合には、発光強度を補うか、あるいは発光時間を延長させる手段を併用すればよい。
　すなわち、第６図に要部構成を断面的に示すように、たとえば第１図に図示したＥＬパネルのガラス基板１面に、光増強用のチャンネルプレート１２を配設し、ＥＬ発光を増強する。ここで、第７図に要部構成を断面的に示すように、チャンネルプレート１２の蛍光面の発光色を白色にし、かつチャンネルプレート１２とＥＬパネルの画素、換言するとＥＬ素子１１群を位置合わせし、さらにカラーフィルタ１３を重畳することにより、カラー化も可能となる。
　また、発光を持続させる他の手段としては、たとえば第１図に図示した構成において、ＥＬ発光層８にたとえば１，４−ジブロモナフタレンのような遅延発光材料を添加し、選択パルスの通過後も一定時間、発光が継続するような構成としてもよい。この場合遅延発光材料の選択はＥＬ発光層８を構成するＥＬ材料に依存するが、遅延発光波長は必ずしも選択パルス印加時のＥＬ発光波長と一致していなくともよい。視感波長はＥＬ発光と遅延発光の網膜上での混合により決まる。したがって、ＥＬ発光と遅延発光の波長設定により、視感波長の所定色に選択可能である。
　さらに、発光を持続させる他の手段は、第８図に要部の構成を断面的に示すように、ＥＬパネルの上に遅延発光パネル（フォトパルスストレッチャ）を重畳することである。この場合、ＥＬパネルからのパルス状発光がフォトパルスストレッチャ１４に照射されると、フォトパルスストレッチャ１４を構成する遅延発光材料を準安定状態に励起する。しかして、前記準安定状態は熱励起により基底状態に発光遷移し、また熱励起過程では遅延が生じ、遅延発光が起こる。このようなことから、２種類以上の発光体層をモザイク状にパタンニングして構成した遅延発光パネル１４を、ＥＬパネルの画素（ＥＬ素子１１群）と位置合わせして重畳することにより、カラー化も可能となる。
　さらにまた、線順次駆動方式によった場合は、ＴＦＴＬＣＤを使用し得るので、ゲートドライバＩＣをそのまま使用可能となる。しかも、有機ＥＬ材料を用いることにより、駆動電圧は１０Ｖ程度になり、信号電源もＴＦＴＬＣＤで使用される信号線ドライバをそのまま、あるいは電流ブースターを付加することにより使用可能である。
　上記のように構成された本発明に係るＥＬ表示装置は、広い視野角を呈するが、これをさらに向上・改善するため、ＥＬ発光面を拡散面、あるいは指向性透過集光面にしてもよい。たとえばＥＬパネルのガラス基板１面を粗面化して、ＥＬ発光を拡散させ、視野角を拡大させるとか、あるいは第９図に要部の構成を断面的に示すごとくＥＬバネルのガラス基板１面にレンチキュラレンズ１５を蝕刻もしくは樹脂の塗布成型により設け、特定視野方向への集光や均一散光を行わせることで、視野角の限定、あるいは拡大が可能となる。
［発明の効果］
　上記説明から分るように、本発明によれば繁雑な構成ないし製造手段など要せずに、高輝度、高分解能および高速応答性でかつ視野角の広いＥＬ表示装置の提供が可能となる。すなわち、薄型化大型化の特徴を十分に活した、しかも実用上要求される表示機能（高輝度、高分解能および高速応答性など）を備えるとともに、カラー表示も可能なＥＬ表示装置を実現することができる。
【図面の簡単な説明】
第１図（ａ）は本発明に係るＥＬ表示装置の要部構成例を示す断面図、第１図（ｂ）は第１図（ａ）に図示したＥＬ表示装置の要部構成例を示す平面図、第２図、第３図および第４図（ａ）は本発明に係るＥＬ表示装置の他の異なる要部構成例を示す断面図、第４図（ｂ）は第４図（ａ）に図示したＥＬ表示装置の要部構成を示す斜視図、第５図は本発明に係るＥＬ表示装置のＥＬ発光層を成す有機ＥＬ層に対する注入電流と発光輝度との関係を例示する曲線図、第６図、第７図、第８図および第９図は本発明に係るＥＬ表示装置のさらに他の異なる要部構成例を示す断面図である。
　１……ガラス基板
　１′……Ｓｉウェハー
　２……多結晶ＳｉＴＦＴ
　２ａ……ソース領域
　２ｂ……ドレイン領域
　３……ゲート電極
　４……絶縁層（ＳｉＯ２，ＳｉＮＸ，ポリイミドなど）
　５……信号電極母線
　６……画素電極（ＩＴＯ，ＡｇＭｇなど）
　７……電荷輸送層
　８……ＥＬ発光層
　９……背面（対向）電極層
　１０ａ……熱酸化Ｔａ２Ｏ５層
　１０ｂ……Ｔａ層
　１０ｃ……陽極酸化Ｔａ２Ｏ５層
　１１……ＥＬ素子
　１２……チャンネルプレート
　１３……カラーフィルター
　１４……フォトパルスストレッチャ
　１５……レンチキュラレンズ